(57)【特許請求の範囲】
【請求項１】
駆動装置を有する本体部と、前記本体部に設けられたグリップ部と、を備え、前記グリップ部の端部が吊り下げ支持される締付工具であって、
前記駆動装置の操作部は、前記グリップ部の前記本体部との連結部から前記グリップ部の端部側に離間した位置に配置され、
前記離間距離は、少なくとも使用者が順手で前記グリップ部を握ることが可能な距離であり、
前記グリップ部は、前記操作部が配置された位置から延在する延在部を備え、
前記延在部は、使用者が握ることが可能である締付工具。
【請求項２】
前記グリップ部は、前記本体部に対して前方又は後方に傾斜して設けられている請求項１に記載の締付工具。
【請求項３】
前記グリップ部は、前記本体部に対して前方又は後方に角度調整可能に設けられている請求項１又は２に記載の締付工具。
【発明の詳細な説明】
【技術分野】
【０００１】
本発明は、締付工具に関し、特に生産工場等において吊り下げ支持される締付工具に関する。
【背景技術】
【０００２】
従来から生産工場等における組立作業において、電源ライン等に吊り下げ支持された締付工具が用いられている。このような締付工具は、一般的に所謂ガンタイプの形状とされている。つまり、例えば特許文献１に開示されている電動工具と略同様の構成とされており、駆動装置を有する本体部と、当該本体部から略直角に設けられたグリップ部と、を備えている。そして、本体部とグリップ部との連結部分近傍に、駆動装置の操作部（トリガー）が配置されており、使用者がグリップ部を握りつつ、人差指でトリガーを操作することで、駆動装置を動作させている。
【先行技術文献】
【特許文献】
【０００３】
【特許文献１】特開平１１−２２１７８１号公報
【発明の概要】
【発明が解決しようとする課題】
【０００４】
電源ライン等に吊り下げ支持された締付工具を使用する場合、使用者は、上下方向を反転させてから、使用する必要があり、使用が煩雑である。
【０００５】
本発明の目的は、このような問題を解決するためになされたものであり、操作性に優れた締付工具を提供することである。
【課題を解決するための手段】
【０００６】
本発明の一形態に係る締付工具は、駆動装置を有する本体部と、前記本体部に設けられたグリップ部と、を備え、前記グリップ部の端部が吊り下げ支持される締付工具であって、前記駆動装置の操作部は、前記グリップ部の前記本体部との連結部から前記グリップ部の端部側に離間した位置に配置されている。
【０００７】
上記締付工具において、前記離間距離は、少なくとも使用者が順手で前記グリップ部を握ることが可能な距離であること、が好ましい。
【０００８】
上記締付工具において、前記グリップ部は、前記本体部に対して前方又は後方に傾斜して設けられていること、が好ましい。
【０００９】
上記締付工具において、前記グリップ部は、前記本体部に対して前方又は後方に角度調整可能に設けられていること、が好ましい。
【００１０】
上記締付工具において、前記グリップ部は、前記操作部が配置された位置から延在する延在部を備えること、が好ましい。
【発明の効果】
【００１１】
以上、説明したように、本発明によると、操作性に優れた締付工具を提供することができる。
【図面の簡単な説明】
【００１２】
【図１】本発明に係る実施の形態１の締付工具を概略的に示す斜視図である。
【図２】本発明に係る実施の形態１の締付工具を概略的に示す側面図である。
【図３】本発明に係る実施の形態２の締付工具を概略的に示す側面図である。
【図４】本発明に係る実施の形態３の締付工具を概略的に示す側面図である。
【発明を実施するための形態】
【００１３】
以下、本発明を実施するための最良の形態について、添付図面を参照しながら説明する。但し、本発明が以下の実施の形態に限定される訳ではない。また、説明を明確にするため、以下の記載及び図面は、適宜、簡略化されている。
【００１４】
＜実施の形態１＞
本実施の形態に係る締付工具を説明する。締付工具１は、図１及び２に示すように、本体部２、グリップ部３を備えている。本体部２は、ケーシング２１、駆動装置２２を備えている。ケーシング２１は、駆動装置２２を保持する。例えばケーシング２１は、グリップ部３と一体構造とされており、左右方向に分割可能な構成とされている。このような分割片で左右から駆動装置２２を挟み込むことで、駆動装置２２を保持している。このとき、ケーシング２１は、前後方向に貫通する貫通穴２１ａを備えており、当該貫通穴２１ａから駆動装置２２の少なくとも前方側の端部が露出する。
【００１５】
駆動装置２２は、ケーシング２１に保持されている。駆動装置２２は、操作部２２ａ、電動モータ２２ｂ、減速機２２ｃ、チャック部２２ｄ等を備えている。チャック部２２ｄは、ケーシング２１の前方側の貫通穴２１ａから露出している。このような駆動装置２２は、使用者の操作部２２ａの操作に基づいて、電動モータ２２ｂが制御される。そして、電動モータ２２ｂの駆動力が減速機２２ｃで増幅され、チャック部２２ｄに伝達される。チャック部２２ｄには、図示を省略したが、例えばボルトやナット等を締め付けるためのソケットやエクステンション等が嵌め込まれる。
【００１６】
グリップ部３は、本体部２のケーシング２１に設けられている。本実施の形態のグリップ部３は、ケーシング２１と一体構造とされており、左右方向に分割可能な構成とされている。グリップ部３の端部（ケーシング２１との連結部側と逆側の端部）に電動モータ２２ｂに電源を供給するための電源ライン４（図１）が接続されている。電源ライン４から供給される電源は、グリップ部３及び本体部２のケーシング２１内の配線を介して電動モータ２２ｂに供給される。
【００１７】
このような構成の締付工具１は、図１及び２に示す上下方向の姿勢で、電源ライン４によって吊り下げ支持される。つまり、一般的な締付工具の使用形態に対して上下方向に逆の姿勢で支持されることになる。
【００１８】
そこで、本実施の形態の操作部２２ａは、グリップ部３における本体部２のケーシング２１との連結部から当該グリップ部３の端部側に離間した位置に配置されている。このとき、当該離間距離Ｌは、少なくとも使用者が順手でグリップ部３を握りつつ、人差指で操作部２２ａを操作可能な距離に設定されることが好ましい。
【００１９】
このような構成により、一般的な締付工具のように、一旦締付工具の上下方向を反転させなくても、図２に示すように、締付工具１が吊り下げられた状態の姿勢で、使用者が順手でグリップ部３を握りつつ、人差指で操作部２２ａを操作することができる。そのため、締付工具を上下方向に反転させる必要が無く、締付工具１の使用性が優れている。
【００２０】
しかも、一般的な締付工具では、一旦締付工具の上下方向を反転させた状態で、低い位置の締付作業を行う場合、手首や腰等を曲げる量が多く負担が掛るが、本実施の形態の締付工具は、手首や腰等を曲げる量が少なくて済み負担を軽減できる。
【００２１】
また、使用者の腰下部位での作業性を向上させることができる。そのため、例えばエンジン等の組立体の組立作業において、作業台の昇降装置や回転機構等を省略することができ、組立作業における設備の簡便化を図ることができ、しいてはコストの軽減を図ることができる。
【００２２】
＜実施の形態２＞
上記実施の形態１では、ケーシング２１に対するグリップ部３の角度について特に言及していないが、図３に示すように、ケーシング２１に対してグリップ部３が前方又は後方に傾斜して設けられていることが好ましい。つまり、締付作業の高さ位置に応じてケーシング２１に対するグリップ部３の角度θを設定し、グリップ部３を前方に傾斜させた形態や、後方に傾斜させた形態とすることが好ましい。
【００２３】
このような構成により、手首や腰を曲げる量を一層少なくすることができ、操作性を向上させることができる。このとき、操作部２２ａとチャック部２２ｄとが近くなるように当該角度θを設定すると、締付作業を行う際に締付工具１００の端部（即ち、チャック部２２ｄ近傍）の位置を把握し易くなり、操作性を向上させることができる。
【００２４】
また、グリップ部３が前後方向（即ち矢印方向）に回転可能な構成でケーシング２１に連結されていると、締付工具１００を汎用性に優れた構成とすることができる。なお、グリップ部３の回転可能な構成は、特に限定されず、例えばラチェット機構等を用いることができる。
【００２５】
＜実施の形態３＞
上記実施の形態１及び２のグリップ部３は、少なくとも使用者が順手でグリップ部３を握ることができる程度の長さに設定されているが、この限りでない。図４に示す締付工具１０１のように、操作部２２ａが配置された位置から延在する延在部３１を備えていても良い。
【００２６】
このような構成により、低所での締付作業において使用者の負担を一層軽減することができる。このとき、延在部３１を握って作業を行う場合は、図４に示すように、使用者が延在部３１を握りつつ、小指で操作部２２ａを操作すると良い。但し、操作部２２ａを操作する指は任意である。
【００２７】
ここで、延在部３１がグリップ部３に対して取り外し可能な構成とされていることが好ましい。これにより、締付作業の高さ位置に応じて使用者が延在部３１を用いるか否かを任意に選択することができる。
【００２８】
以上、本発明に係る締付工具の実施の形態を説明したが、上記の構成に限らず、本発明の技術的思想を逸脱しない範囲で、変更することが可能である。
【００２９】
例えば上記実施の形態では、電源を用いて駆動装置が駆動しているが、動力源は特に限定されず空気などでも良い。
【００３０】
例えば上記実施の形態では、ケーシング２１とグリップ部３とを一体構造としているが、別構造でも良い。また、ケーシング２１は、駆動装置２２を保持できる構成であれば良い。
【符号の説明】
【００３１】
１、１００、１０１  締付工具
２  本体部
３  グリップ部、３１  延在部
４  電源ライン
２１  ケーシング、２１ａ  貫通穴
２２  駆動装置、２２ａ  操作部、２２ｂ  電動モータ、２２ｃ  減速機、２２ｄ  チャック部
【図１】
0005772469.tif 000002
【図２】
0005772469.tif 000003
【図３】
0005772469.tif 000004
【図４】
0005772469.tif 000005